(57)【要約】【課題】本体フレームに容易に取付けることができるボトム部材を提供する。【解決手段】寝台装置１０に用いられるボトム部材１０１であって、寝台装置１０の第１本体フレーム６１に載置される平坦部と、平坦部よりも下方に突出し、第１本体フレーム６１の内側に配置される突起部と、を備えている。【選択図】図１４
2019118772.tif 000002
【特許請求の範囲】
【請求項１】
寝台装置に用いられるボトム部材であって、
前記寝台装置の本体フレームに載置される第１の部分と、
前記第１の部分よりも下方に突出し、前記本体フレームの内側に配置される第２の部分と、を備えていることを特徴とするボトム部材。
【請求項２】
前記ボトム部材は、平面視で矩形状をなしていることを特徴とする請求項１に記載のボトム部材。
【請求項３】
前記第１の部分は、前記ボトム部材の周縁部のうち、前記寝台装置の前後方向における両端部に各別に形成されていることを特徴とする請求項１又は２に記載のボトム部材。
【請求項４】
前記ボトム部材は、中空状に形成されていることを特徴とする請求項１から３のいずれか１項に記載のボトム部材。
【請求項５】
前記第２の部分は、段階的に突出していることを特徴とする請求項１から４のいずれか１項に記載のボトム部材。
【請求項６】
請求項１から５のいずれか１項に記載のボトム部材と、
前記本体フレームと、を備え、
前記本体フレームは前記寝台装置の支持架台に取付けられることを特徴とするボトム。
【請求項７】
前記本体フレームは、請求項１から５のいずれか１項に記載のボトム部材が取付けられる部分、及び前記ボトム部材と異なる他のボトム部材が取付けられる部分を有していることを特徴とする請求項６に記載のボトム。
【請求項８】
請求項６又は７に記載のボトムを備えていることを特徴とする寝台装置。
【発明の詳細な説明】
【技術分野】
【０００１】
本発明は、ボトム部材、ボトム、及び寝台装置に関する。
【背景技術】
【０００２】
従来から、例えば下記特許文献１に記載の寝台装置が知られている。
【先行技術文献】
【特許文献】
【０００３】
【特許文献１】特表２００５−５０９４５０号公報
【発明の概要】
【発明が解決しようとする課題】
【０００４】
前記従来の寝台装置では、利便性向上の余地があった。
【０００５】
本発明は、前述した事情に鑑みてなされたものであって、本体フレームに容易に取付けることができるボトム部材を提供することを目的とする。
【課題を解決するための手段】
【０００６】
前記課題を解決するために、本発明は以下の手段を提案している。
（１）本発明に係るボトム部材は、寝台装置に用いられるボトム部材であって、前記寝台装置の本体フレームに載置される第１の部分と、前記第１の部分よりも下方に突出し、前記本体フレームの内側に配置される第２の部分と、を備えていることを特徴とする。
【０００７】
この発明によれば、ボトム部材が第２の部分を備えているので、ボトム部材の第１の部分を本体フレームに載置した状態で、第２の部分が本体フレームの内側に位置することとなる。このため、ボトム部材を本体フレームに載置するだけで、第２の部分と本体フレームとを係合させて、互いに位置ずれするのを抑制することが可能になる。
このようにして、ボトム部材を本体フレームに対して容易に取付けることができる。
【０００８】
（２）上記（１）に係る前記ボトム部材は、平面視で矩形状をなしてもよい。
【０００９】
この場合、ボトム部材が、上下方向から見た平面視で矩形状をなしているので、平面視で矩形状をなす寝台装置に、ボトム部材を容易に用いることができる。
【００１０】
（３）上記（１）又は（２）に係るボトム部材における前記第１の部分は、前記ボトム部材の周縁部のうち、前記寝台装置の前後方向における両端部に各別に形成されてもよい。
【００１１】
この場合、第１の部分がボトム部材の周縁部のうち、寝台装置の前後方向における両端部に各別に形成されている。このためボトム部材を、前後方向に延びるに従い漸次、上下方向に延びるように傾斜させて用いる場合に、第２の部分と本体フレームとを前後方向に係合させることが可能になる。これにより、ボトム部材と本体フレームとの位置ずれを確実に抑制することができる。
【００１２】
（４）上記（１）から（３）のいずれか１つに係る前記ボトム部材は、中空状に形成されてもよい。
【００１３】
この場合、ボトム部材が中空状に形成されているので、ボトム部材を軽量化することができる。
【００１４】
（５）上記（１）から（４）のいずれか１つに係る前記第２の部分は、段階的に突出してもよい。
【００１５】
この場合、第２の部分が第１の部分から段階的に突出しているので、ボトム部材と本体フレームとの係合部分を確保しながら、第２の部分を上下方向にコンパクトな構成とすることができる。
【００１６】
（６）本発明に係るボトムは、上記（１）から（５）のいずれか１つに係るボトム部材と、前記本体フレームと、を備え、前記本体フレームは、前記寝台装置の支持架台に取付けられることを特徴とする。
【００１７】
この場合、ボトム部材と本体フレームとを備えたボトムにおいて、前述した各作用効果を奏功することができる。
【００１８】
（７）本発明に係るボトムにおける前記本体フレームは、上記（１）から（５）のいずれか１つに係るボトム部材が取付けられる部分、及び前記ボトム部材と異なる他のボトム部材が取付けられる部分を有してもよい。
【００１９】
この場合、本体フレームに異なる多種のボトム部材を取付けることが可能になり、本体フレームを共用しながら、要求される使用に応じてボトム部材を交換することができる。
【００２０】
（８）本発明に係る寝台装置は、上記（６）又は（７）に係るボトムを備えていることを特徴とする。
【００２１】
この場合、ボトムを備えた寝台装置において、前述した各作用効果を奏功することができる。
【発明の効果】
【００２２】
本発明によれば、ボトム部材を本体フレームに対して容易に取付けることができる。
【図面の簡単な説明】
【００２３】
【図１】本発明の一実施形態に係る寝台装置の斜視図である。
【図２】図１に示す寝台装置の側面図である。
【図３】図１に示す寝台装置の上面図である。
【図４】図１に示す寝台装置の下面図である。
【図５】図２に示す寝台装置において寝台を上昇させた状態を示す側面図である。
【図６】図１に示す寝台装置において第１背ボトム及び第１脚ボトムを回動させた状態を示す斜視図である。
【図７】図１に示す寝台装置の第１背ボトムの斜視図である。
【図８】図１に示す寝台装置の第１背ボトムの本体フレームを示す斜視図である。
【図９】図７に示す第１背ボトムのボトム部材において（ａ）表面の斜視図（ｂ）裏面の斜視図である。
【図１０】図１に示す寝台装置の第１背ボトムの固定部材を示す斜視図である。
【図１１】図１に示す寝台装置の変形例を示す斜視図である。
【図１２】図１１に示す寝台装置において第１背ボトム及び第１脚ボトムを回動させた状態を示す斜視図である。
【図１３】図１に示す寝台装置の使用状態を示す斜視図である。
【図１４】図１に示す第１ボトムに代えて、第２ボトムを使用した寝台装置の斜視図である。
【図１５】図１４に示す寝台装置の分解斜視図である。
【図１６】図１４に示す寝台装置の第２背ボトムの斜視図である。
【図１７】図１６に示す第２背ボトムの本体フレームを示す斜視図である。
【図１８】図１５に示す第５ボトム部材における（ａ）表面の斜視図、（ｂ）裏面の斜視図である。
【図１９】図１５に示す第６ボトム部材における（ａ）表面の斜視図、（ｂ）裏面の斜視図である。
【図２０】図１５に示す第７ボトム部材における（ａ）表面の斜視図、（ｂ）裏面の斜視図である。
【図２１】図１５に示す第８ボトム部材における（ａ）表面の斜視図、（ｂ）裏面の斜視図である。
【発明を実施するための形態】
【００２４】
本発明の一実施形態に係る寝台装置１０を、図１から図１３に基づいて以下に説明する。
寝台装置１０は、例えば、医療環境下（介護環境下を含む）において、一般床ベッドやＩＣＵベッド等として利用することができる。図１から図１３において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向Ｘに対して直交する水平方向を左右方向Ｙと言う場合が有る。前後方向Ｘ及び左右方向Ｙは、いずれも水平方向に沿う方向であるとともに、互いに直交する方向である。
【００２５】
図１から図６に示すように、寝台装置１０は、寝台装置本体１７と、寝台装置本体１７の外周縁部に複数立設された壁状部材１８と、を備えている。寝台装置本体１７は、寝台１１と、支持架台１２と、寝台用オプション１５と、駆動機構１６と、を備え、壁状部材１８は、柵体１３と、ボード１４と、を備えている。寝台装置１０は、電力を動力源とするいわゆる電動ベッドである。
寝台１１は、上面視した場合に左右方向Ｙよりも前後方向Ｘに長い。寝台１１の長手方向は前後方向Ｘとされ、寝台１１の短手方向は左右方向Ｙとなっている。寝台１１上には、図１３に示すようにマットレス８０が配置される。寝台１１には、マットレス８０を介して使用者が横たわる。
【００２６】
寝台１１は、第１ボトムとして、第１背ボトム２１と、第１腰ボトム２２と、第１脚ボトム２３と、を備えている。これらの第１背ボトム２１、第１腰ボトム２２及び第１脚ボトム２３は、頭側Ｈから足側Ｆに向けてこの順に並んでいる。第１背ボトム２１は、使用者の背を支える。第１腰ボトム２２は、使用者の腰を支える。第１脚ボトム２３は、使用者の脚を支える。
第１脚ボトム２３は、第１膝ボトム２４と、第１足ボトム２５と、を備えている。これらの第１膝ボトム２４及び第１足ボトム２５は、頭側Ｈから足側Ｆに向けてこの順に並んでいる。第１膝ボトム２４は、使用者の膝から腰を支える。第１足ボトム２５は、使用者の膝から足先を支える。
【００２７】
支持架台１２は、寝台１１を支持する。支持架台１２は、寝台１１、及び寝台１１上の使用者それぞれの荷重を受け止める。図２及び図４に示すように、支持架台１２は、ベースフレーム３１と、メインフレーム３２と、昇降機構３３と、を備えている。
ベースフレーム３１は、接地面に接地される。ベースフレーム３１は、平面視において矩形状をなす。ベースフレーム３１は、前後方向Ｘに延びる第１縦部材３４と、左右方向Ｙに延びる第１横部材３５と、接地面に接地する接地部３６と、を備えている。
【００２８】
第１縦部材３４は、左右方向Ｙに間隔をあけて一対設けられている。
第１横部材３５は、左右一対の第１縦部材３４間に架設されている。第１横部材３５は、左右一対の第１縦部材３４を左右方向Ｙに連結している。第１横部材３５は、前後方向Ｘに間隔をあけて一対設けられている。第１横部材３５は、第１縦部材３４に移動不能に固定されている。第１横部材３５は、第１縦部材３４に例えば溶接等により固着されている。
【００２９】
接地部３６は、第１縦部材３４の前後方向Ｘの端部に設けられている。第１縦部材３４の前後方向Ｘの端部は、第１横部材３５よりも前後方向Ｘの外側に突出している。なお図示の例では、接地部３６として、キャスターを採用することで寝台装置本体１７を移動自在としているが、キャスターに代えてゴムカバーを採用することも可能である。また、キャスターとして、帯電防止キャスターを採用してもよい。
【００３０】
メインフレーム３２は、寝台１１を支持する。メインフレーム３２は、平面視において矩形状をなす。メインフレーム３２は、前後方向Ｘに延びる第２縦部材３７と、左右方向Ｙに延びる第２横部材３８と、寝台用オプション１５を取付けるオプション受け３９と、を備えている。
【００３１】
第２縦部材３７は、左右方向Ｙに間隔をあけて一対設けられている。
第２横部材３８は、左右一対の第２縦部材３７を左右方向Ｙに連結している。第２横部材３８は、前後方向Ｘに間隔をあけて一対設けられている。第２横部材３８は、第２縦部材３７に移動不能に固定されている。第２横部材３８は、第２縦部材３７に例えば溶接等により固着されている。第２横部材３８の左右方向Ｙの端部は、第２縦部材３７よりも左右方向Ｙに突出している。
オプション受け３９は、第２横部材３８の左右方向Ｙの端部に設けられている。
【００３２】
図４及び図５に示すように、昇降機構３３は、メインフレーム３２をベースフレーム３１に対して昇降自在に連結する。昇降機構３３は、前後一対の昇降ユニット４０を備えている。一対の昇降ユニット４０は、第１腰ボトム２２を前後方向Ｘに挟むように配置されている。各昇降ユニット４０は、左右一対のリンク機構４１と、左右一対のリンク機構４１を連結する連結部材４２と、を備えている。前後一対の昇降ユニット４０が並行に作動することで、昇降機構３３が寝台１１を昇降させる。
【００３３】
図１及び図６に示すように、支持架台１２は、第１背ボトム２１及び第１脚ボトム２３（可動ボトム）を、左右方向Ｙに延びる回動軸２６回りに回動自在に支持している。寝台装置１０は、いわゆるギャッチベッドとなっている。本実施形態では、第１腰ボトム２２が支持架台１２に固定され、第１背ボトム２１及び第１脚ボトム２３が、回動軸２６を介して第１腰ボトム２２に回動自在に連結されている。
【００３４】
回動軸２６は、第１背ボトム２１と第１腰ボトム２２とを連結する第１回動軸２６ａと、第１脚ボトム２３と第１腰ボトム２２とを連結する第２回動軸２６ｂと、を備えている。
なお、第１膝ボトム２４と第１足ボトム２５とは、左右方向Ｙに延びる屈曲軸２７回りに回動自在に連結されている。そのため、第１脚ボトム２３が第２回動軸２６ｂ回りに回動すると、屈曲軸２７が頂点をなすように、第１脚ボトム２３が上方に向けて屈曲する。
【００３５】
ボード１４は、寝台装置本体１７の外周縁部であって、支持架台１２における前後方向Ｘの端部に、寝台装置本体１７の外周縁部に沿って延びるように立設されている。ボード１４は、表裏面が前後方向Ｘを向く板状に形成されている。ボード１４は、支持架台１２に着脱自在に装着されている。ボード１４は、頭側Ｈに位置するヘッドボード１４ａと、足側Ｆに位置するフットボード１４ｂと、を備えている。図示の例ではボード１４は、第２横部材３８に取付けられており、ボード１４の左右方向Ｙの端部は、オプション受け３９よりも左右方向Ｙの内側に位置している。
【００３６】
柵体１３は、寝台装置本体１７の外周縁部であって、支持架台１２における左右方向Ｙの端部に、寝台装置本体１７の外周縁部に沿って延びるように配置されている。本実施形態では、柵体１３は、支持架台１２に対して左右方向Ｙの両側に配置されている。柵体１３は、前後方向Ｘに間隔をあけて一対、設けられている。柵体１３は、支持架台１２に昇降自在に連結されている。
【００３７】
柵体１３は、前後方向Ｘに沿う頭側Ｈに偏って配置されている。寝台装置１０を左右方向Ｙから見た側面視において、柵体１３は、ヘッドボード１４ａに対して近接し、フットボード１４ｂに対して離間している。
寝台用オプション１５は、オプション受け３９に着脱自在に装着されている。本実施形態では、寝台用オプション１５としてスペーサ１５ａが備えられている。スペーサ１５ａは、複数の壁状部材１８間の隙間を埋める補助柵であり、前記側面視における柵体１３とフットボード１４ｂとの間の空間を塞いでいる。
【００３８】
図４に示すように、駆動機構１６は、支持架台１２に取付けられる。駆動機構１６は、複数設けられている。複数の駆動機構１６は、寝台１１の下方に配置されている。駆動機構１６は、寝台１１及び支持架台１２のうちの少なくとも一部である可動部を移動させる。駆動機構１６は、前後方向Ｘに伸縮する直動アクチュエータとされ、前後方向Ｘに伸縮することで前記可動部を移動させる。
【００３９】
駆動機構１６は、可動部としての寝台１１を昇降させる昇降駆動機構５１と、可動部としての第１背ボトム２１または第１脚ボトム２３を回動させる回動駆動機構５２と、を備えている。
昇降駆動機構５１は、昇降機構３３に駆動力を伝達してメインフレーム３２をベースフレーム３１に対して昇降させる。昇降駆動機構５１は、複数設けられている。昇降駆動機構５１は、前後方向Ｘに一対設けられている。一対の昇降駆動機構５１は、寝台１１における左右方向Ｙの中央部に配置されている。
【００４０】
各昇降駆動機構５１の前後方向Ｘの両端部は、メインフレーム３２と、昇降ユニット４０と、にそれぞれ取付けられている。頭側Ｈの昇降駆動機構５１では、頭側Ｈの端部が、頭側Ｈの昇降ユニット４０に取付けられ、足側Ｆの端部が、メインフレーム３２に取付けられている。足側Ｆの昇降駆動機構５１では、足側Ｆの端部が、足側Ｆの昇降ユニット４０に取付けられ、頭側Ｈの端部が、メインフレーム３２に取付けられている。
【００４１】
回動駆動機構５２は、第１背ボトム２１を回動させる第１駆動機構５３と、第１脚ボトム２３を回動させる第２駆動機構５４と、を備えている。第１駆動機構５３及び第２駆動機構５４は、昇降駆動機構５１を左右方向Ｙに挟むように配置されている。各回動駆動機構５２の前後方向Ｘの両端部は、支持架台１２と、第１背ボトム２１または第１脚ボトム２３と、にそれぞれ取付けられている。
【００４２】
図７に示すように、第１背ボトム２１は、寝台装置１０の支持架台１２に取付けられる第１本体フレーム６１と、表裏面が上下方向Ｚに向けられた状態で、第１本体フレーム６１の上面に載置された第１ボトム部材（他のボトム部材）６２と、第１ボトム部材６２を第１本体フレーム６１に離脱自在に固定する第１固定部材６３と、を備えている。
また同様に、図１に示すように、第１腰ボトム２２は、第２本体フレーム７１、第２ボトム部材７２、及び第２固定部材７３を備えている。また、第１脚ボトム２３のうち、第１膝ボトム２４は、第３本体フレーム８１、第３ボトム部材８２、及び第３固定部材８３を備え、第１足ボトム２５は、図示しない第４本体フレーム９１、第４ボトム部材９２、及び第４固定部材９４（図３参照）を備えている。
以下、第１背ボトム２１について第１本体フレーム６１、第１ボトム部材６２、及び第１固定部材６３の構造を説明する。
【００４３】
図８に示すように、第１本体フレーム６１は、上面視で矩形状を呈する枠状部材である。第１本体フレーム６１は、左右方向Ｙに間隔をあけて配設されるとともに、前後方向Ｘに延びる一対の縦フレーム部６１ａと、一対の縦フレーム部６１ａの頭側Ｈの端部同士を連結し、左右方向Ｙに延びる横フレーム部６１ｂと、一対の縦フレーム部６１ａにおける足側Ｆの端部同士を連結し、左右方向Ｙに延びる支持フレーム部６１ｄと、を備えている。
【００４４】
一対の縦フレーム部６１ａ及び横フレーム部６１ｂは、互いに一体に形成されている。
一対の縦フレーム部６１ａ及び横フレーム部６１ｂは、それぞれが延びる方向に直交する断面視で、矩形状を呈する筒状に形成されている。一対の縦フレーム部６１ａと横フレーム部６１ｂとの接続部分はそれぞれ、寝台装置１０の外側に向けて突の曲面状に形成されている。一対の縦フレーム部６１ａ及び横フレーム部６１ｂの外表面のうち、上方を向く上面の幅寸法は、全域にわたって同等となっている。
【００４５】
支持フレーム部６１ｄは、左右方向Ｙに直交する断面視で矩形状を呈する筒状に形成されている。支持フレーム部６１ｄのうち、左右方向Ｙの一方側に位置する部分には、第１駆動機構５３が取り付けられる連結体５５が配設されている。連結体５５は、支持フレーム部６１ｄの外表面のうち、下方を向く下面及び足側Ｆを向く後面に跨って一体に接続され、足側Ｆに向かうに従って、漸次下方に向けて延びている。
【００４６】
支持フレーム部６１ｄの上面における幅寸法は、一対の縦フレーム部６１ａ及び横フレーム部６１ｂの上面における幅寸法よりも大きくなっている。支持フレーム部６１ｄの上面における左右方向Ｙの中央部には、支持フレーム部６１ｄの上面を上下方向Ｚに貫通するフレーム連通孔６１ｅが形成されている。
支持フレーム部６１ｄの左右方向Ｙの両端部には、第１回動軸２６ａに連結される回動部材５６が各別に配設されている。
【００４７】
第１本体フレーム６１には、支持フレーム部６１ｄと、横フレーム部６１ｂと、を接続し、前後方向Ｘに延びる補強フレーム部６１ｇ、６１ｈが複数配設されている。補強フレーム部６１ｇ、６１ｈは、第１本体フレーム６１における左右方向Ｙの中央部に位置する第１補強フレーム部６１ｇと、左右方向Ｙの外側に位置する一対の第２補強フレーム部６１ｈと、を備えている。一対の第２補強フレーム部６１ｈと、これらそれぞれの左右方向Ｙの外側に位置する縦フレーム部６１ａと、の間に、複数の連結板６４が配設されている。
【００４８】
図９に示すように、第１ボトム部材６２は、上面視で４つの辺部を有する矩形状を呈する板状に形成されている。第１ボトム部材６２は例えば板金等により形成され、表裏面が上下方向Ｚを向いている。第１ボトム部材６２の表裏面には、この表裏面を貫通する複数の長孔６２ａが形成されている。第１ボトム部材６２の頭側Ｈの端部における左右方向Ｙの両端部には、左右方向Ｙの内側及び足側Ｆに向けて切り欠かれた切り欠き部６２ｂが各別に形成されている。
【００４９】
切り欠き部６２ｂは、第１ボトム部材６２の左右方向Ｙの両端部に位置する辺部において、頭側Ｈの端部から左右方向Ｙの内側に延びる横縁６２ｐと、第１ボトム部材６２の頭側Ｈに位置する辺部において、左右方向Ｙの両端部から足側Ｆに延びる縦縁６２ｑと、横縁６２ｐと縦縁６２ｑとを接続する接続縁６２ｒと、により形成されている。図７に示すように、切り欠き部６２ｂは、第１本体フレーム６１における一対の縦フレーム部６１ａと横フレーム部６１ｂとの接続部分の内側と、上下方向Ｚで連通している。
【００５０】
図９に示すように、第１ボトム部材６２の外周縁は、下方に向けて屈曲している。このため、第１ボトム部材６２を第１本体フレーム６１に載置する際に、第１ボトム部材６２の外周縁内に、第１本体フレーム６１の外側面をはめ込むことで、第１本体フレーム６１に対して、第１ボトム部材６２を位置決めすることができる。
第１ボトム部材６２の外周縁部における４つの辺部のうち、足側Ｆに位置する部分における左右方向Ｙの中央部には、第１ボトム部材６２を上下方向Ｚに貫通するボトム連通孔６２ｃが形成されている。
【００５１】
そして本実施形態では、図１に示すように、第１固定部材６３は、第１ボトム部材６２の上面に配設されている。第１固定部材６３は、図１０に示すように、上下方向Ｚに延びる軸体６３ａと、軸体６３ａの上端部に配設された環状のフランジ部６３ｂと、を備えている。第１固定部材６３は合成樹脂材料により形成されている。軸体６３ａ及びフランジ部６３ｂは互いに別体とされ、フランジ部６３ｂ内に軸体６３ａが挿入されている。
第１固定部材６３は、フランジ部６３ｂが第１ボトム部材６２の上面に配置され、軸体６３ａが、第１本体フレーム６１のフレーム連通孔６１ｅ、及び第１ボトム部材６２のボトム連通孔６２ｃに一体に挿入されることで、第１ボトム部材６２を、第１本体フレーム６１に固定する。軸体６３ａは頭部に十字溝が形成された雄ねじ部材となっている。
【００５２】
また本実施形態では、フランジ部６３ｂは、下方を向いて第１ボトム部材６２の上面に載置される下面と、下面の外周縁から内側に向かうに従い漸次、上方に向けて延びる突曲面６３ｃと、により構成されている。
フランジ部６３ｂの下面の内周縁部には、下方に向けて延び、フランジ部６３ｂの径方向に弾性変形可能な係止片６３ｄが形成されている。係止片６３ｄは、フランジ部６３ｂの周方向に間隔をあけて複数形成されている。係止片６３ｄには、径方向の内側に向けて突出し、軸体６３ａの雄ねじ部と係合する不図示の突起が形成されている。
【００５３】
フランジ部６３ｂの上面における内周縁部には、下方に向けて窪み、軸体６３ａの頭部が収容されるザグリ穴６３ｅが形成されている。軸体６３ａをフランジ部６３ｂ内に挿入することで、係止片６３ｄが径方向の外側に向けて弾性変形し、係止片６３ｄの外面がボトム連通孔６２ｃ及びフレーム連通孔６１ｅの各内周面に密接する。軸体６３ａの頭部がフランジ部６３ｂのザグリ穴６３ｅに収容された状態において、フランジ部６３ｂの上面と、軸体６３ａの頭部の上面と、は上下方向Ｚの段差なく連なっている。
また、軸体６３ａの頭部を軸体６３ａの中心軸回りに回転させることで、係止片６３ｄの前記突起が軸体６３ａのねじ溝に沿って相対移動し、これにより軸体６３ａがフランジ部６３ｂから上下方向Ｚに移動し、第１固定部材６３を取り外すことができる。
【００５４】
そして本実施形態では、図９に示すように、第１ボトム部材６２の外周縁部における４つの辺部のうち、第１固定部材６３が配設された辺部と異なる辺部には、第１本体フレーム６１の下面に、第１本体フレーム６１の下面に係止する第１係止部６５が配設されている。第１係止部６５は、第１ボトム部材６２の外周縁部における４つの辺部のうち、横フレーム部６１ｂに載置される辺部に配設されている。第１係止部６５は、この辺部の左右方向Ｙの全長にわたって配設されている。
【００５５】
第１ボトム部材６２の外周縁部における４つの辺部のうち、第１固定部材６３が配設された辺部と、第１係止部６５が配設された辺部と、は、互いに対向している。図示の例では、第１固定部材６３が配設された辺部と、第１係止部６５が配設された辺部と、は、前後方向Ｘに互いに対向している。
第１ボトム部材６２の外周縁部における４つの辺部のうち、第１係止部６５が配設された辺部には、下方に向けて延び、下端部に第１係止部６５が形成された折曲部６６が配設されている。折曲部６６は、この辺部の左右方向Ｙの全長にわたって配設されている。前述した第１ボトム部材６２の４つの外周縁における屈曲部分のうちの１つが、折曲部６６とされている。
【００５６】
第１ボトム部材６２の下面、及び第１係止部６５は、上下方向Ｚで互いに対向し、第１ボトム部材６２、折曲部６６、及び第１係止部６５は、互いに一体に形成されている。折曲部６６、及び第１係止部６５は、曲げ加工により形成される。長孔６２ａ、及び切り欠き部６２ｂは、金型を用いた加工やレーザ加工により形成される。
【００５７】
また本実施形態では、図６に示すように、第１背ボトム２１、第１腰ボトム２２、第１膝ボトム２４、及び第１足ボトム２５は、支持架台１２に前後方向Ｘに複数並べられて配設され、第１背ボトム２１、第１膝ボトム２４、及び第１足ボトム２５は、各ボトム部材６２、８２、９２の表裏面が、前後方向Ｘに向かうに従い漸次、上下方向Ｚに延びるように水平方向に対して傾斜可能に支持されている。すなわち、第１背ボトム２１は、頭側Ｈに向かうに従い漸次、上方に延びるように傾斜し、第１膝ボトム２４は、足側Ｆに向かうに従い漸次、上方に延びるように傾斜する、また、第１足ボトム２５は、頭側Ｈに向かうに従い漸次、上方に延びるように傾斜する。
【００５８】
そして本実施形態では、各ボトム部材６２、８２、９２における各係止部６５、８５、９５は、各ボトム部材６２、８２、９２の外周縁部における２つの左右方向に延びる辺部のうち、各ボトム部材６２、８２、９２の表裏面が水平方向に対して傾斜した際に、上方に位置する辺部に配設されている。
すなわち、第１背ボトム２１における第１係止部６５は、第１本体フレーム６１における横フレーム部６１ｂに配設されている。また、第１膝ボトム２４における第３係止部８５は、第３本体フレーム８１における足側Ｆの辺部に配設されている。また、第１足ボトム２５における第４係止部９５は、第４本体フレーム９１（図２参照）における頭側Ｈの辺部に配設されている。
【００５９】
次に、寝台装置１０の変形例について説明する。
図１１及び図１２に示すように、変形例の寝台装置２０では、足側Ｆに位置するフットボード１４ｂに記録台９７が配設されている。記録台９７は、フットボード１４ｂに取付けられた回動軸９７ａによって、表裏面を足側Ｆに向けて回動させることで、不使用時には、フットボード１４ｂに沿って収納することができる。
【００６０】
寝台装置２０では、アシストバー９６が配設されている。使用者が寝台１１から立ち上がる際に、アシストバー９６に体重をかけることで、容易に立ち上がることができる。
寝台装置２０では、使用者の足元を照らす図示しないフットライトが支持架台１２の下面に配設されている。
寝台装置２０では、図１２に示すように、第１膝ボトム２４が、足側Ｆに向かうに従い漸次、上方に延びるように傾斜した際に、第１足ボトム２５を水平方向に対して傾斜させずに昇降させることができる。
【００６１】
次に、図１４から図２１に基づいて、第１ボトムに代えて使用される第２ボトム（ボトム）について説明する。なお、以下の説明において、前述した構成と同一の内容については同一の符号を付し、その説明を省略する。
図１４及び図１５に示すように、第２ボトムは、第２背ボトム２１Ｂと、第２腰ボトム２２Ｂと、第２脚ボトム２３Ｂと、を備えている。第２脚ボトム２３Ｂは、第２膝ボトム２４Ｂと、第２足ボトム２５Ｂと、を備えている。
【００６２】
図１６及び図１７に示すように、第２背ボトム２１Ｂは、第１本体フレーム６１と、表裏面が上下方向Ｚに向けられた状態で、第１本体フレーム６１の上面に載置された第５ボトム部材（ボトム部材）１０１と、を備えている。
また同様に、図１５に示すように、第２腰ボトム２２Ｂは、第２本体フレーム７１及び第６ボトム部材（ボトム部材）１０２を備えている。また、第２脚ボトム２３Ｂのうち、第２膝ボトム２４Ｂは、第３本体フレーム８１及び第７ボトム部材（ボトム部材）１０３を備え、第２足ボトム２５Ｂは、第４本体フレーム９１及び第８ボトム部材（ボトム部材）１０４を備えている。
まず、第２背ボトム２１Ｂについて、第５ボトム部材１０１の構造を説明する。
【００６３】
図１８に示すように、第５ボトム部材１０１は上下方向から見た平面視で矩形状をなしている。第５ボトム部材１０１の表面は平滑に形成されている。第５ボトム部材１０１には、第５ボトム部材１０１を上下方向に貫く通気孔１１０が形成されている。
通気孔１１０は上下方向に間隔をあけて複数配置されるとともに、左右方向に２列配置されている。通気孔１１０は平面視で円形状をなし、使用者の手を挿入して、第５ボトム部材１０１全体を持ち上げ可能な大きさに形成されている。
【００６４】
第５ボトム部材１０１の周縁部のうち、左右方向の両端部、及び前方に位置する部分には、水平方向の内側に向けて窪む切欠き部１１１が形成されている。
切欠き部１１１は間隔をあけて複数形成されている。切欠き部１１１には、例えば使用者の姿勢を維持するベルト等を通すことができる。なお、切欠き部１１１は形成されなくてもよい。
【００６５】
第５ボトム部材１０１は、第１本体フレーム６１に載置される平坦部（第１の部分）１２１と、平坦部１２１よりも下方に突出し、第１本体フレーム６１の内側に配置される突起部（第２の部分）１２２と、を備えている。
平坦部１２１は、第５ボトム部材１０１の周縁部のうち、前後方向における両端部に各別に形成されている。図示の例では、平坦部１２１は、第５ボトム部材１０１の周縁部の全周にわたって形成されている。
【００６６】
突起部１２２は、段階的に突出している。突起部１２２は、左右方向の内側に形成された第１突起部１２２Ａと、左右方向の外側に形成された第２突起部１２２Ｂと、左右方向の中央部に形成された凹部１２２Ｃと、を備えている。
第１突起部１２２Ａ及び第２突起部１２２Ｂはそれぞれ、左右方向に線対称に一対配置されている。第１突起部１２２Ａの平坦部１２１からの突出量は、第２突起部１２２Ｂの平坦部１２１からの突出量よりも大きくなっている。通気孔１１０は、第１突起部１２２Ａに形成されている。
凹部１２２Ｃは前後方向に延びている。凹部１２２Ｃの平坦部１２１からの突出量は、第２突起部１２２Ｂの平坦部１２１からの突出量と同等となっている。
【００６７】
第５ボトム部材１０１は、中空状に形成されている、第５ボトム部材１０１は、例えば合成樹脂材料のブロー成形により形成されている。第５ボトム部材１０１の裏面には、表面に向けて窪むリブ１２３が形成されている。リブ１２３は第２突起部１２２Ｂのうち、第１突起部１２２Ａと連なる部分、及び凹部１２２Ｃに形成されている。リブ１２３は前後方向に間隔をあけて複数配置されている。
【００６８】
このように、第１本体フレーム６１は、第５ボトム部材１０１が取付けられる部分、及び第５ボトム部材１０１と異なる第１ボトム部材６２が取付けられる部分を有している。図示の例では、いずれも第１本体フレーム６１の上面に取付けられる。
なお、第５ボトム部材１０１及び第１ボトム部材６２は、第１本体フレーム６１における異なる部分にそれぞれ取付けられてもよい。
【００６９】
以上説明したように、本実施形態に係る第５ボトム部材１０１によれば、突起部１２２を備えているので、第５ボトム部材１０１の平坦部１２１を第１本体フレーム６１に載置した状態で、突起部１２２が第１本体フレーム６１の内側に位置することとなる。このため、第５ボトム部材１０１を第１本体フレーム６１に載置するだけで、突起部１２２と第１本体フレーム６１とを水平方向に係合させて、互いに位置ずれするのを抑制することが可能になる。
このようにして、第５ボトム部材１０１を第１本体フレーム６１に対して容易に取付けることができる。
【００７０】
また、第５ボトム部材１０１が、上下方向から見た平面視で矩形状をなしているので、平面視で矩形状をなす寝台装置に、第５ボトム部材１０１を容易に用いることができる。
また、平坦部１２１が第５ボトム部材１０１の周縁部のうち、寝台装置の前後方向における両端部に各別に形成されている。このため第５ボトム部材１０１を、前後方向に延びるに従い漸次、上下方向に延びるように傾斜させて用いる場合に、突起部１２２と第１本体フレーム６１とを前後方向に係合させることが可能になる。これにより、第５ボトム部材１０１と第１本体フレーム６１との位置ずれを確実に抑制することができる。
【００７１】
また、第５ボトム部材１０１が中空状に形成されているので、第５ボトム部材１０１を軽量化することができる。
また、突起部１２２が平坦部１２１から段階的に突出しているので、第５ボトム部材１０１と第１本体フレーム６１との係合部分を確保しながら、突起部１２２を上下方向にコンパクトな構成とすることができる。
また、第５ボトム部材１０１の表面が平滑に形成されているので、第５ボトム部材１０１の表面の容易に清拭することができる。
【００７２】
また、第１本体フレーム６１が、第５ボトム部材１０１が取付けられる部分、及び第５ボトム部材１０１と異なる第１ボトム部材６２が取付けられる部分を有している。このため、第１本体フレーム６１に異なる多種のボトム部材を取付けることが可能になり、第１本体フレーム６１を共用しながら、要求される使用に応じてボトム部材を交換することができる。
【００７３】
なお、図１９から図２１に示すように、第６ボトム部材１０２、第７ボトム部材１０３、及び第８ボトム部材１０４は第５ボトム部材１０１と同等の構成を備えており、上記した各作用効果は、第５ボトム部材１０１に限られず、第６ボトム部材１０２、第７ボトム部材１０３、及び第８ボトム部材１０４においても奏功することができる。
【００７４】
また、第１背ボトム２１が、寝台装置１０の支持架台１２に取付けられる第１本体フレーム６１と、第１本体フレーム６１の上面に載置された第１ボトム部材６２と、を備えている。このため、第１ボトム部材６２の上面を例えば清拭する際等に、第１背ボトム２１のうち、上面を有する第１ボトム部材６２のみを第１本体フレーム６１から取り外すことが可能になり、優れた取扱性を具備させることができる。
【００７５】
また、第１固定部材６３が、第１ボトム部材６２の上面に配設されているので、第１ボトム部材６２の上方から第１固定部材６３を操作することが可能になり、この操作時に、例えば工具を第１ボトム部材６２の下方から回り込ませたり、他の部材間の隙間に進入させたりする等の必要がなく、第１ボトム部材６２を第１本体フレーム６１に容易に着脱することができる。
また、例えば第１本体フレーム６１をパイプ等により形成し、第１ボトム部材６２を板金等により形成した場合には、第１背ボトム２１を合成樹脂材料の射出成形により一体に形成するような場合と比べて、金型製作等の初期費用を抑えることができ、第１背ボトム２１を安価に製造することができる。
【００７６】
また、第１ボトム部材６２の外周縁部における４つの辺部のうちの少なくとも１つの辺部に第１固定部材６３が配設されるとともに、他の辺部に、第１本体フレーム６１の下面に、第１本体フレーム６１の下面に係止する第１係止部６５が配設されている。このため、第１ボトム部材６２に、第１ボトム部材６２を第１本体フレーム６１から持ち上げるような外力が加えられた際に、第１係止部６５が第１本体フレーム６１の下面に係止することとなる。これにより、第１ボトム部材６２に加えられたこのような外力を、第１固定部材６３だけでなく、第１係止部６５によっても受け止めさせることができる。その結果、第１ボトム部材６２のうち、第１固定部材６３の周囲に位置する部分に大きな力がかかるのを抑制することが可能になり、第１ボトム部材６２に局所的な変形が生じるのを抑えることができる。
【００７７】
また、第１係止部６５が、第１ボトム部材６２の辺部のうち、第１固定部材６３が配設された辺部から最も離れた辺部に配設されることになるので、第１固定部材６３と第１係止部６５との間の距離を大きく確保することできる。このため、第１ボトム部材６２のうち、第１固定部材６３が配設された辺部から最も離れた辺部に、第１ボトム部材６２を第１本体フレーム６１から持ち上げるような外力が加えられた際には、第１固定部材６３周りに発生する回転モーメントを第１係止部６５により受けることで、第１係止部６５に生じる反力を小さくすることが可能になる。これにより、確実に第１ボトム部材６２を第１本体フレーム６１に係止することができる。
【００７８】
また、折曲部６６及び第１係止部６５を、例えば第１ボトム部材６２に曲げ加工を施すことにより形成することができ、第１ボトム部材６２を安価に製造することができる。
また、軸体６３ａを、第１本体フレーム６１及び第１ボトム部材６２に、各別に形成されたフレーム連通孔６１ｅ、及びボトム連通孔６２ｃに一体に挿入するとともに、フランジ部６３ｂを第１ボトム部材６２の上面に配置することで、第１ボトム部材６２を第１本体フレーム６１に固定することができる。これにより、第１ボトム部材６２を第１本体フレーム６１に着脱する際に、第１ボトム部材６２の上面から上方に突出したフランジ部６３ｂを操作することが可能になり、この着脱操作を容易に行うことができる。
【００７９】
また、第１ボトム部材６２の上面に載置される第１固定部材６３の下面の外周縁部から、突曲面６３ｃが接続されているので、第１固定部材６３におけるフランジ部６３ｂの外周縁と、第１ボトム部材６２の上面と、の間に段差が生ずるのを抑制することが可能になり、このような段差に物などが引っ掛かるのを抑制することができる。
また、寝台装置１０が第１背ボトム２１を備えているので、寝台装置１０において上記の作用効果を奏功させることができる。
【００８０】
また、第１係止部６５が、第１ボトム部材６２の外周縁部における２つの左右方向に延びる辺部のうち、第１ボトム部材６２の表裏面を水平方向に対して傾斜させた際に、上方に位置する辺部に配設されている。このため、第１ボトム部材６２の表裏面が水平方向に対して傾斜したことにより、第１本体フレーム６１の上面で支えることができない第１ボトム部材６２の自重を、第１固定部材６３だけでなく、第１係止部６５にも受け止めさせることができ、第１固定部材６３にかかる負荷を抑えることができる。
なお、上記した各作用効果は、第１背ボトム２１に限られず、第１腰ボトム２２、第１膝ボトム２４、及び第１足ボトム２５においても奏功することができる。
【００８１】
なお、本発明の技術的範囲は前記実施形態に限定されるものではなく、本発明の趣旨を逸脱しない範囲において種々の変更を加えることが可能である。
例えば、上記実施形態では、第５ボトム部材１０１が平面視で矩形状をなす構成を示したが、このような態様に限られない。第５ボトム部材１０１は、平面視で円形や矩形以外の多角形状であってもよい。
また、上記実施形態では、第５ボトム部材１０１が１枚である構成を示したが、このような態様に限られない。例えば、第５ボトム部材１０１を複数に分割して構成してもよい。
【００８２】
また、上記実施形態では、平坦部１２１が、第５ボトム部材１０１の周縁部のうち、前後方向の両端部を含む全周に形成されている構成を示したが、このような態様に限られない。平坦部１２１は、例えば第５ボトム部材１０１の周縁部のうち、左右方向の両端部にのみ形成されてもよい。
また、上記実施形態では、第５ボトム部材１０１が中空状に形成されている構成を示したが、このような態様に限られない。第５ボトム部材１０１は中実状に形成されてもよい。
また、上記実施形態では、突起部１２２が段階的に突出している構成を示したが、このような態様に限られない。突起部１２２は段階的に突出しなくてもよい。
【００８３】
また、上記実施形態では、第１ボトム部材６２が上面視で矩形状を呈する板状に形成された構成を示したが、このような態様に限られない。第１ボトム部材は上面視で矩形状以外の形状を呈してもよい。
【００８４】
また、上記実施形態では、第１ボトム部材６２の辺部のうち、第１固定部材６３が配設された辺部と異なる辺部に、第１係止部６５が配設された構成を示したが、このような態様に限られない。第１ボトム部材に第１係止部が配設されていなくてもよい。
また、上記実施形態では、第１固定部材が第１ボトム部材６２に１つ配設された構成を示したが、このような態様に限られない。固定部材はボトム部材に複数配設されてもよい。
また、上記実施形態では、第１固定部材６３が配設された辺部と、第１係止部６５が配設された辺部と、が互いに対向している構成を示したが、このような態様に限られない。
第１係止部と第１固定部材とは、互いに対向していなくてもよいし、同じ辺部に配置されてもよい。
【００８５】
また、上記実施形態では、第１固定部材６３は軸体６３ａとフランジ部６３ｂとを備え、フランジ部６３ｂが、下面と突曲面６３ｃとにより形成された構成を示したが、このような態様に限られない。例えば、第１固定部材は単なる雄ねじ部材等であってもよいし、フランジ部が突曲面により形成されていなくてもよい。また、第１固定部材は金属材料により形成された部材であってもよい。
なお、上記した変形例は、第１背ボトム２１に限られず、他のボトムにおいても適用することができる。
【００８６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００８７】
１０  寝台装置
１２  支持架台
６１  第１本体フレーム（本体フレーム）
１０１  第５ボトム部材（ボトム部材）
１２１  平坦部（第１の部分）
１２２  突起部（第２の部分）
【図１】
2019118772.tif 000003
【図２】
2019118772.tif 000004
【図３】
2019118772.tif 000005
【図４】
2019118772.tif 000006
【図５】
2019118772.tif 000007
【図６】
2019118772.tif 000008
【図７】
2019118772.tif 000009
【図８】
2019118772.tif 000010
【図９】
2019118772.tif 000011
【図１０】
2019118772.tif 000012
【図１１】
2019118772.tif 000013
【図１２】
2019118772.tif 000014
【図１３】
2019118772.tif 000015
【図１４】
2019118772.tif 000016
【図１５】
2019118772.tif 000017
【図１６】
2019118772.tif 000018
【図１７】
2019118772.tif 000019
【図１８】
2019118772.tif 000020
【図１９】
2019118772.tif 000021
【図２０】
2019118772.tif 000022
【図２１】
2019118772.tif 000023